(57)【要約】【課題】短く、軽量であり、作業性が格段に優れる両口ラチェットレンチの提供。【解決手段】本発明に係る両口ラチェットレンチ１００は、第１本体１０および第２本体２０とで構成される。第１本体１０は、レンチヘッド１１、切替スイッチ１２、平板状の継手１３、円筒状の持手部１４および持手部１４の内部に形成された接合凹部１５を有する。また、第２本体２０は、レンチヘッド２１、切替スイッチ２２、平板状の継手２３および円柱状の接合凸部２４を有するが、第２本体２０は、第１本体１０の持手部１４に相当する持手部を有しない。接合凸部２４は接合凹部１５内に挿入された状態で、回動可能に嵌合されるので、第１本体１０および第２本体２０は、軸方向に回転自在となる。【選択図】  図２
2014094437.tif 000002
【特許請求の範囲】
【請求項１】
レンチヘッド、切替スイッチ、平板状の継手、円筒状の持手部および該持手部の内部に形成された接合凹部を有する第１本体、ならびに、
レンチヘッド、切替スイッチ、平板状の継手および円柱状の接合凸部を有し、円筒状の持手部を有しない第２本体を備え、
前記接合凸部を前記接合凹部内に挿入し、前記第１本体および前記第２本体を軸方向に回転自在に保持した両口ラチェットレンチであって、
前記第１本体と前記第２本体との軸回転の位置が、両口ラチェットレンチの軸長さの中心からずれた位置である、両口ラチェットレンチ。
【請求項２】
前記第１本体と前記第２本体との軸回転の位置が、前記持手部の一端部である、請求項１に記載の両口ラチェットレンチ。
【請求項３】
全長が１７０ｍｍ以下である、請求項１または２に記載の両口ラチェットレンチ。
【請求項４】
前記切替スイッチが、
前記レンチヘッドの内部に設けられたスイッチ内装部収容溝と、
スイッチ内装部収容溝の中心部に設けられた穴と、
前記穴に収容されるバネと、
前記バネに付勢され、前記穴から突出した小球と、
前記スイッチ内装部収容溝に収容され、前記レンチヘッドに挿入されるラチェットの歯車に適合するサイズの歯止部、該歯止部の反対面に設けられた前記小球を収容可能な隣り合う二つの凹部および軸穴を備えるスイッチ内装部と、
前記軸穴に収容される軸棒を有するスイッチ外装部とを有し、
前記スイッチ外装部を摺動させると、前記小球を収容する凹部が変更され、ラチェットが回転可能な向きが切り替えられる機構を備える、請求項１から３までのいずれかに記載の両口ラチェットレンチ。
【発明の詳細な説明】
【技術分野】
【０００１】
本発明は、ラチェット機構を有するレンチを両端に備える、両口ラチェットレンチに関する。
【背景技術】
【０００２】
特許文献１には「両面にサイズの異なるボックスが形成されたソケットをハンドルの両端に有し、前記ハンドルは中間部分で第１分離ハンドルと第２分離ハンドルに分離することができることを特徴とする、４サイズセットのラチェットレンチ。」に関する考案が開示されている。
【０００３】
特許文献２には「ハンドルの両端部にソケットが夫々Ｔ字状に取り付けられたソケットレンチであって、ハンドルがその長手方向中央部で２つに分割されて、双方の分割ハンドル部がハンドルの軸芯周りに相対回転可能に連結されてなるソケットレンチ。」に関する発明が開示されている。
【先行技術文献】
【特許文献】
【０００４】
【特許文献１】実開平５−５３８６３号公報
【特許文献２】特開２００１−３５３６６４号公報
【発明の概要】
【発明が解決しようとする課題】
【０００５】
特許文献１および２に開示された両口ラチェットレンチは、持手部（ハンドル）で分割され、その軸周りに回転可能な状態で連結されている。このような機構を有するラチェットレンチであれば、ラチェットレンチの使用時に、使用されていない側のソケットが作業の邪魔にならない向きにすることができるというメリットがある。
【０００６】
特許文献１および２に開示された両口ラチェットレンチは、いずれも持手部の中央で分割されており、特に、特許文献１の例では、軸状の工具を収容する必要まであり、必然的にラチェットレンチの全長を長くせざるを得ない。もちろん、全長が長いラチェットレンチは、小さな力でボルト、ナットなどの連結具にトルクをかけることができるというメリットがあるため、従来の両口ラチェットレンチでは、その長さを短くしようとは考えられてはこなかった。しかし、そのような長いラチェットレンチでは、狭い場所での作業性が著しく悪い。また、全長が長ければ、その分、ラチェットレンジ自体の重さが増加し、製造コストを上昇させるとともに、作業性が悪くなるという問題もある。
【０００７】
一方、ラチェットの切換スイッチは、通常、レンチヘッドの側面に取り付けられるか（引用文献１の図１など参照）、レンチヘッドの上面に振り子状に取り付けられているのが一般的である。しかし、切換スイッチをレンチヘッドの側面に取り付けるためには、レンチヘッドの厚みを大きくする必要があり、ラチェットレンチ自体の重さが増加する。また、ラチェットレンチの使用時、通常は、手の甲が上、指が下となるように持手部を握ることになり、その握り手のままでは、レンチヘッドの上面に取り付けられた振り子状の切換スイッチを切り替えるのが困難であり、振り子状の切換スイッチの切換えは、一旦、使用時の状態から約９０℃軸方向に回転させて握り直した後で行われる。よって、振り子状の切換スイッチは、作業性が良くないという問題がある。
【０００８】
本発明は、上記の問題を解決するためになされたものであり、従来よりも短く、軽量で作業性が格段に優れる両口ラチェットレンチを提供することを目的とする。
【課題を解決するための手段】
【０００９】
本発明者らは、上記の目的を達成するために鋭意研究を行った結果、本発明を完成させた。本発明は、下記の両口ラチェットレンチを要旨とする。
【００１０】
（１）レンチヘッド、切替スイッチ、平板状の継手、円筒状の持手部および該持手部の内部に形成された接合凹部を有する第１本体、ならびに、レンチヘッド、切替スイッチ、平板状の継手および円柱状の接合凸部を有し、円筒状の持手部を有しない第２本体を備え、前記接合凸部を前記接合凹部内に挿入し、前記第１本体および前記第２本体を軸方向に回転自在に保持した両口ラチェットレンチであって、前記第１本体と前記第２本体との軸回転の位置が、両口ラチェットレンチの軸長さの中心からずれた位置である、両口ラチェットレンチ。
【００１１】
（２）前記第１本体と前記第２本体との軸回転の位置が、前記持手部の一端部である、上記（１）の両口ラチェットレンチ。
【００１２】
（３）全長が１７０ｍｍ以下である、上記（１）または（２）の両口ラチェットレンチ。
【００１３】
（４）前記切替スイッチが、前記レンチヘッドの内部に設けられたスイッチ内装部収容溝と、スイッチ内装部収容溝の中心部に設けられた穴と、前記穴に収容されるバネと、前記バネに付勢され、前記穴から突出した小球と、前記スイッチ内装部収容溝に収容され、前記レンチヘッドに挿入されるラチェットの歯車に適合するサイズの歯止部、該歯止部の反対面に設けられた前記小球を収容可能な隣り合う二つの凹部および軸穴を備えるスイッチ内装部と、前記軸穴に収容される軸棒を有するスイッチ外装部とを有し、前記スイッチ外装部を摺動させると、前記小球を収容する凹部が変更され、ラチェットが回転可能な向きが切り替えられる機構を備える、上記（１）〜（３）のいずれかの両口ラチェットレンチ。
【発明の効果】
【００１４】
本発明によれば、短く、軽量であり、作業性が格段に優れる両口ラチェットレンチを提供することが可能である。
【図面の簡単な説明】
【００１５】
【図１】本発明に係る両口ラチェットレンチを例示した斜視図（ただし、切替スイッチは省略している。）。
【図２】本発明に係る両口ラチェットレンチを例示した分解展開図。
【図３】本発明に係る両口ラチェットレンチの第１本体を例示した斜視図。
【図４】本発明に係る両口ラチェットレンチの第２本体を例示した斜視図。
【図５】本発明に係る両口ラチェットレンチの切換スイッチの構成部材を例示した図。                                                                                （ａ）スイッチ内装部                                                        （ｂ）スイッチ外装部
【図６】本発明に係る両口ラチェットレンチの切換スイッチの動きを例示した図。        （ａ）反時計回りに回転可能な構成（外観図）                                  （ｂ）時計回りに回転可能な構成（外観図）                                    （ｃ）反時計回りに回転可能な構成（内部構造図）                              （ｄ）時計回りに回転可能な構成（内部構造図）
【発明を実施するための形態】
【００１６】
以下、図１〜６を用いて、本発明に係る両口ラチェットレンチの実施形態を説明する。
【００１７】
図１および図２などに示すように、本発明に係る両口ラチェットレンチ１００は、第１本体１０および第２本体２０とで構成される。そして、図３に示すように、第１本体１０は、レンチヘッド１１、切替スイッチ（図示省略）、平板状の継手１３、円筒状の持手部１４および持手部１４の内部に形成された接合凹部１５を有する。また、図４に示すように、第２本体２０は、レンチヘッド２１、切替スイッチ（図示省略）、平板状の継手２３および円柱状の接合凸部２４を有するが、第２本体２０は、第１本体１０の持手部１４に相当する持手部を有しない。継手１３、２３が平板状なのは、軽量化と、それぞれに落下防止ワイヤを取り付けるための穴１３ａ、２３ａを形成するためである。
【００１８】
ここで、図２に示すように、接合凸部２４は接合凹部１５内に挿入された状態で、回動可能に嵌合されるので、第１本体１０および第２本体２０は、軸周りに回転自在となる。なお、接合凸部２４の外周面には、Ｃリング２４ａを嵌合可能な外周溝２４ｂが形成されており、一方、接合凹部１５の内周面には、同じくＣリング２４ａを嵌合可能な内周溝（図示省略）が形成されており、接合凸部２４の外周と接合凹部１５の内周との間の空間にバネ２４ｃを介在させた状態で、接合凸部２４を接合凹部１５内に挿入すると、Ｃリング２４ａが外周溝２４ｂと内周溝（図示省略）との間に嵌合され、一方、バネ２４ｃによって、接合凸部２４と接合凹部１５とは、相互に離れる方向に付勢されている。この状態で、第１本体１０および第２本体２０は、軸周りに回転自在となる。
【００１９】
そして、図１に示すように、本発明に係る両口ラチェットレンチ１００は、第１本体１０と第２本体２０との軸回転の位置が両口ラチェットレンチの軸長さの中心からずれた位置となっている。図１および図２に示すように、第１本体１０と第２本体２０との軸回転の位置は、例えば、持手部１４の一端部である。
【００２０】
本発明に係る両口ラチェットレンチ１００は、このような構成を有しているので、短く、軽量であり、作業性が格段に優れる。例えば、通常の両口ラチェットレンチは、その全長が１９０ｍｍ程度であるが、本発明の構成によれば、１５０ｍｍ以下とすることができる。なお、接合凸部２４の長さを短くすれば、その分、両口ラチェットレンチの全長も短くできるが、２０ｍｍより短くすると、使用時の外力に耐えられず、抜け落ちてしまうことがある。本発明の構成によれば、接合凸部２４の長さを２０ｍｍ以上と十分な長さを維持しつつ、両口ラチェットレンチの全長を１５０ｍｍ以下とすることが可能となる。
【００２１】
切替スイッチ３０は、レンチヘッド１１、２１の内部に設けられたスイッチ内装部収容溝３１と、スイッチ内装部収容溝３１の中心部に設けられた穴３２と、穴３２に収容されるバネ３３と、バネ３３に付勢され、穴３２から突出した小球３４と、スイッチ内装部収容溝３１に収容され、スイッチ内装部３５と、スイッチ外装部３６とを有することが好ましい。特に、図５に示すように、スイッチ内装部３５は、レンチヘッドに挿入されるラチェットの歯車に適合するサイズの歯止部３５ａ、歯止部３５ａの反対面に設けられた小球３４を収容可能な隣り合う二つの凹部３５ｂ、３５ｃおよび軸穴３５ｄを備え、スイッチ外装部３６は、軸穴３５ｄに収容される軸棒３６ａを備えることが好ましい。
【００２２】
そして、この構成の両口ラチェットレンチにおいては、図６（ａ）に示すように、例えば、スイッチ外装部３６を図面左方向（白抜き矢印の方向）に摺動させると、図６（ｃ）に示すように、軸穴３５ｄおよび軸棒（図示省略）を介して、スイッチ内装部３５が図面左方向（白抜き矢印の方向）に摺動し、小球３４を収容する凹部が凹部３５ｂから凹部３５ｃへ変更される。このとき、スイッチ内装部３５の左側面部はスイッチ内装部収容溝３１の壁面に接触しているが、スイッチ内装部３５の右側面部はスイッチ内装部収容溝３１の壁面に接触していない。このため、スイッチ内装部３５は、ラチェットを時計回りに回転させようとするときには移動しないが、反時計回りに回転させようとするときには移動する。よって、歯止部３５ａに噛み込んだラチェット（図示省略）は、時計回りには回転しないが、反時計回りには回転する。したがって、スイッチ外装部３６を図面左方向（白抜き矢印の方向）に摺動させると、ラチェット（図示省略）が回転可能な向きが反時計回りとなる。
【００２３】
一方、図６（ｂ）に示すように、例えば、スイッチ外装部３６を図面右方向（白抜き矢印の方向）に摺動させると、軸穴３５ｄおよび軸棒（図示省略）を介して、図６（ｄ）に示すように、スイッチ内装部３５が図面左方向（白抜き矢印の方向）に摺動し、小球３４を収容する凹部が凹部３５ｃから凹部３５ｂへ変更される。このとき、スイッチ内装部３５の右側面部はスイッチ内装部収容溝３１の壁面に接触しているが、スイッチ内装部３５の左側面部はスイッチ内装部収容溝３１の壁面に接触していない。このため、スイッチ内装部３５は、ラチェットを反時計回りに回転させようとするときには移動しないが、時計回りに回転させようとするときには移動する。よって、歯止部３５ａに噛み込んだラチェット（図示省略）は、反時計回りには回転しないが、時計回りには回転する。したがって、スイッチ外装部３６を図面右方向（白抜き矢印の方向）に摺動させると、ラチェット（図示省略）が回転可能な向きが時計回りとなる。
【００２４】
このような構成の切換スイッチであれば、レンチヘッドの厚みを大きくすることなく両口ラチェットレンチを構成することができる。特に、このような構成の切換スイッチであれば、ラチェットレンチの通常の握り手、すなわち、手の甲が上、指が下となる握り手のままで、例えば、握り手の人差し指の第二関節と親指によって、ラチェットの向きを変更することができる。ここで、スイッチ外装部３６は、レンチヘッド１１、２１の側面から突出するように構成するのがよい。このような構成にすれば、スイッチの切り替え時に要する力がより小さくなるからである。
【００２５】
レンチヘッド１１、２１に取り付けるソケットについては、特に制約はない。例えば、図２に示すように、片側に３〜４種類の径のソケット５０を有する多段ソケットを取り付けることも可能である。
【産業上の利用可能性】
【００２６】
本発明によれば、短く、軽量であり、作業性が格段に優れる両口ラチェットレンチを提供することが可能である。
【符号の説明】
【００２７】
１０  第１本体
２０  第２本体
１１  レンチヘッド
１３  平板状の継手
１３ａ  穴
１４  円筒状の持手部
１５  接合凹部
２０  第２本体
２１  レンチヘッド
２３  平板状の継手
２３ａ  穴
２４  円柱状の接合凸部
２４ａ  Ｃリング
２４ｂ  外周溝
２４ｃ  バネ
３０  切替スイッチ
３１  スイッチ内装部収容溝
３２  穴
３３  バネ
３４  小球
３５ａ  歯止部
３５ｂ、３５ｃ  凹部
３５ｄ  軸穴
３５  スイッチ内装部
３６  スイッチ外装部
３６ａ  軸棒
４０  ラチェット
１００  本発明に係る両口ラチェットレンチ
【図１】
2014094437.tif 000003
【図２】
2014094437.tif 000004
【図３】
2014094437.tif 000005
【図４】
2014094437.tif 000006
【図５】
2014094437.tif 000007
【図６】
2014094437.tif 000008